(57)【特許請求の範囲】
【請求項１】
多層構造のシート層からなる容器本体とこの容器のフランジ部でヒートシールされる蓋とからなる容器において、フランジ部の外周側端部近傍に容器の内側に向かっている斜面部とフランジ部の平面部と連結するコーナー部とからなる逆テーパ形状の外側段差部を設置し、フランジ部の内周側端部近傍には内側段差部を設置し、少なくとも両段差部の間の平面部に開封時にフランジ部から剥離するポリプロピレン樹脂に異物を１５重量％〜７０重量％加えたブレンド物からなるピール層を設け、ピール層の上に蓋と強固にヒートシールされるポリプロピレン樹脂からなるサポート層を設置し、逆テーパ形状の外側段差部と内側段差部は、サポート層を実質的に除去したことを特徴とする、容易開封性容器。
【請求項２】
フランジ部の内周側端部近傍に設置した内側段差部が直角または順テーパ形状の段差部である、請求項１に記載された容易開封性容器。
【請求項３】
フランジ部の内周側端部近傍に設置した内側段差部が容器の外側に向っている逆テーパ形状の段差部である、請求項１または２に記載された容易開封性容器。
【請求項４】
フランジ部の外周に下方に垂下するスカート部を配置した、請求項１ないし３のいずれか１項に記載された容易開封性容器。
【請求項５】
フランジ部の外周側端部近傍に設置した逆テーパ形状の外側段差部からピール層も実質的に除去した、請求項１ないし４のいずれか１項に記載された容易開封性容器。
【請求項６】
フランジ部の外周側端部近傍に設置した逆テーパ形状の外側段差部の一部にピール層とサポート層を配置し開封の取っ掛かり部を形成した、請求項１ないし５のいずれか１項に記載された容易開封性容器。
【請求項７】
フランジ部の内周側端部近傍の内側段差部に、ピール層とサポート層の極薄層を設けた、請求項１ないし４のいずれか１項に記載された、容易開封性容器。
【請求項８】
逆テーパ形状の段差が容器本体のシート層の厚みの１／３〜１／１の高さと該シート層の厚みの１／３〜１／１の長さであり、直角または順テーパ形状の内側段差部がシート層の厚みの１／３〜４／５の高さと、内側フランジ部表面と７５度〜１３５度の角度を有する、請求項１ないし７のいずれか１項に記載された、容易開封性容器。
【請求項９】
ピール層のポリプロピレン樹脂に加える異物がポリ４メチルペンテン１、エチレン−ブチレン共重合体、エチレン−プロピレン共重合体、プロピレン−ブチレン共重合体、ポリエチレンから選んだ１または２以上である、請求項１ないし８のいずれか１項に記載された、容易開封性容器。
【請求項１０】
ピール層がポリプロピレン樹脂に異物としてポリ４メチルペンテン１、エチレン−ブチレン共重合体、エチレン−プロピレン共重合体、プロピレン−ブチレン共重合体、ポリエチレンから選んだ１または２以上を２０重量％〜５０重量％加えたブレンド物で形成した層である、請求項１ないし９のいずれか１項に記載された、容易開封性容器。
【請求項１１】
サポート層が１０〜１００μｍの厚みであり、ピール層が３〜３０μｍの厚みである、請求項１ないし１０のいずれか１項に記載された、容易開封性容器。
【請求項１２】
フランジ部の内周側端部近傍に配置した内側段差部から外側に向って０．３ｍｍ〜３．０ｍｍの蓋が接着しない部分を設けた、請求項１ないし１１のいずれか１項に記載された、容易開封性容器。
【発明の詳細な説明】
【０００１】
【発明の属する技術分野】
本発明は食品類を包装する密封容器に関する。さらに詳細には、開封が容易で加熱殺菌を行うのに適した密封容器に関する。
【０００２】
【従来の技術】
従来、その耐熱性を利用してポリプロピレン樹脂を用いた食品類の包装容器が使用されている。これ等の容器はボイル、レトルト、マイクロ波等の加熱殺菌を行うのに適している。
食品包装容器はその本来的性能として大量生産を行う必要があるので、成形加工性、成形安定性、生産効率等が非常に重要であって、これ等の成形性性能と容器性能とを兼ね備えてはじめて実用性が備わるのである。
食品類を包装容器はヒートシールにより密封され、密封安定性からはシール強度が大きくすることが要求されるが、開封の容易性も要求される。
そのため、容器を多層構造とし、最内層には蓋とのシール剥離強度が大きく、容器の隣接層とは層間剥離強度を小さくし、フランジ部内側近傍において最内層に他の層まで達するＶ字形の切り込みを全周にわたって形成し切り込みより外周側でヒートシールして蓋を剥ぐとき、容器の最内層とその隣接層との間で剥離が開始され、最内層が蓋のシール層と一体となって切り込み位置まで隣接層から剥ぎとられて蓋とともに除去されるものとしては、特公平５−６３３８５号公報、特公平５−６４５９２号公報等で提案されている。また、特公平７−２４０９号公報、特開平７−３２５５５号公報には、密封性と開封性を改良するために材料組成を特定した多層構造容器が提案されている。
さらに、スカート部を有する容器フランジ部の外縁角部に最内層が欠除した環状部を形成し、内縁近傍に環状の切り込みを形成した容易開封性容器が実公昭５−３９０８６号公報として提案されている。
しかしながら、上記の従来技術として、スカート部を有しない形状では切り込みをフランジ部の最内層に内側１箇所のみまたは内側および外側の２箇所切り込みを設けるものがあるが、この形状では加熱殺菌するとフランジ部が変形するという欠点があった。また、スカート部を有し、フランジ部の内側及び外側の２箇所に切り込み又は角部に最内層を欠除した環状部を設けるものではヒートシール部の位置合わせが非常に困難であり、生産性、成形性が悪く、非効率的であった。
【０００３】
【発明が解決しようとする課題】
本発明は、容易開封性と密封性とを兼ね備え、耐熱性を向上させると共に、成形性の良好な容器を提供する。
さらに、スカート部を有し、加熱殺菌によるフランジ部の変形を防止し、かつヒートシール部に厳密な位置合わせを必要としない容易開封性と成形加工の安定性とを兼ね備えた容器を提供する。
【０００４】
【課題を解決するための手段】
本発明は、
「１．  多層構造のシート層からなる容器本体とこの容器のフランジ部でヒートシールされる蓋とからなる容器において、フランジ部の外周側端部近傍に容器の内側に向かっている斜面部とフランジ部の平面部と連結するコーナー部とからなる逆テーパ形状の外側段差部を設置し、フランジ部の内周側端部近傍には内側段差部を設置し、少なくとも両段差部の間の平面部に開封時にフランジ部から剥離するポリプロピレン樹脂に異物を１５重量％〜７０重量％加えたブレンド物からなるピール層を設け、ピール層の上に蓋と強固にヒートシールされるポリプロピレン樹脂からなるサポート層を設置し、逆テーパ形状の外側段差部と内側段差部は、サポート層を実質的に除去したことを特徴とする、容易開封性容器。
２．  フランジ部の内周側端部近傍に設置した内側段差部が直角または順テーパ形状の段差部である、１項に記載された容易開封性容器。
３．  フランジ部の内周側端部近傍に設置した内側段差部が容器の外側に向っている逆テーパ形状の段差部である、１項または２項に記載された容易開封性容器。
４．  フランジ部の外周に下方に垂下するスカート部を配置した、１項ないし３項のいずれか１項に記載された容易開封性容器。
５．  フランジ部の外周側端部近傍に設置した逆テーパ形状の外側段差部からピール層も実質的に除去した、１項ないし４項のいずれか１項に記載された容易開封性容器。
６．  フランジ部の外周側端部近傍に設置した逆テーパ形状の外側段差部の一部にピール層とサポート層を配置し開封の取っ掛かり部を形成した、１項ないし５項のいずれか１項に記載された容易開封性容器。
７．  フランジ部の内周側端部近傍の内側段差部に、ピール層とサポート層の極薄層を設けた、１項ないし４項のいずれか１項に記載された、容易開封性容器。
８．  逆テーパ形状の段差が容器本体のシート層の厚みの１／３〜１／１の高さと該シート層の厚みの１／３〜１／１の長さであり、直角または順テーパ形状の内側段差部がシート層の厚みの１／３〜４／５の高さと、内側フランジ部表面と７５度〜１３５度の角度を有する、１項ないし７項のいずれか１項に記載された、容易開封性容器。
９．  ピール層のポリプロピレン樹脂に加える異物がポリ４メチルペンテン１、エチレン−ブチレン共重合体、エチレン−プロピレン共重合体、プロピレン−ブチレン共重合体、ポリエチレンから選んだ１または２以上である、１項ないし８項のいずれか１項に記載された、容易開封性容器。
１０．  ピール層がポリプロピレン樹脂に異物としてポリ４メチルペンテン１、エチレン−ブチレン共重合体、エチレン−プロピレン共重合体、プロピレン−ブチレン共重合体、ポリエチレンから選んだ１または２以上を２０重量％〜５０重量％加えたブレンド物で形成した層である、１項ないし９項のいずれか１項に記載された、容易開封性容器。
１１．  サポート層が１０〜１００μｍの厚みであり、ピール層が３〜３０μｍの厚みである、１項ないし１０項のいずれか１項に記載された、容易開封性容器。
１２．  フランジ部の内周側端部近傍に配置した内側段差部から外側に向って０．３ｍｍ〜３．０ｍｍの蓋が接着しない部分を設けた、１項ないし１１項のいずれか１項に記載された、容易開封性容器。」
に関する。
【０００５】
【発明の実施の形態】
加熱殺菌用容器は耐熱性が要求されるとともに一般の容器と同様に形成性、密封性、開封性の三性能が要求される。
これ等の性能に対する要求を充分に満たすためには、蓋を接着するフランジ部の形状と容器基体の構成を改良する必要がある。
【０００６】
本発明の第１の特徴は、蓋を接着する容器のフランジ部を特別の形状としたことである。
すなわち、フランジ部外周側端部近傍に容器の内側に向っている斜面部とフランジ部の平面部に連結するコーナー部とからなる逆テーパ形状の外側段差部を設けると、蓋はこの逆テーパ形状の外側段差部先端部まではフランジ部と接着するが、斜面部および外側段差部より外周側のフランジ部には接着しないので逆テーパ形状の外側の蓋には開封時に指で蓋をつまむつまみ部分が形成される。
また、フランジ部の内周側端部に直角、順テーパまたは逆テーパ形状の段差部を設置したことである。このような段差部を設けると蓋は段差部には接着しないのでイージピール効果と密封効果が奏される。蓋は容器本体には接着することなく、フランジ部だけに接着することになる。
フランジ部の外周に下方に垂下するスカート部を配置するとフランジ部の強度が大きくなり、特にレトルト容器とした場合フランジ部の熱変形が防止される効果が奏される。
【０００７】
本発明の第２の特徴は、フランジ部の表面に開封時にフランジ部から容易に剥離するピール層を配置したことである。ピール層を設けることにより開封時に小さい力で蓋をフランジ部から剥離することができるので、内容物をこぼす危険がない。
【０００８】
本発明の第３の特徴はピール層の上にサポート層を設けたことである。ピール層は３〜３０μｍ、好ましくは５〜１５μｍの比較的薄い層であるから、１０〜１００μｍの厚みのサポート層を設けてピール層をサポートするのであって、このサポート層が蓋とヒートシールされるのである。ピール層とサポート層は、蓋がヒートシールされない段差部には配設しないが、一部に配置されていてもよい。
これは段差部の成形時にピール層やサポート層が段差部に残る場合も生じるからである。
ピール層の厚みが３μｍ未満では剥離が安定しなくなり、３０μｍを超えると剥離面が毛ばだち外観が悪くなるので３μｍ〜３０μｍであることが好ましい。特に５μｍ〜１５μｍが特に好適である。またサポート層は１０μｍ以下では耐圧強度が弱くなり、１００μｍ以上ではサポート層を除去するのが困難となるので１０μｍ〜１００μｍであることが好ましい。
【０００９】
逆テーパ形状の段差部は容器本体のシート層の厚みの１／３〜４／５の高さを有し、該シート層の厚みの１／３〜１／１の長さを有するとイージピール効果が奏されるので好ましい。
また内周側端部近傍の直角、逆テーパ形状または順テーパ形状の内側段差部が容器本体のシート層の厚みの１／３〜１／１の高さであり、順テーパ形状の内側段差部はフランジ部表面と７５度〜１３５度の角度を有するとイージピール性と密封性を満たすことになるので好ましい。
容器本体はポリプロピレン層の間にガスバリヤー層であるエチレン−ビニルアルコール共重合体やメタキシリレン基含有ポリアミド層、酸素吸収剤含有樹脂等の層を配設した多層構造のシートで形成されることが耐熱性、ガスバリヤー性、内容物保存性、耐衝撃性等の点から好ましい。
【００１０】
本発明におけるサポート層はポリプロピレン樹脂層がヒートシール性と強度の点から好ましく、ピール層はポリプロピレンに異物としてポリ４メチルペンテン１、エチレン−ブチレン共重合体、エチレン−プロピレン共重合体、ポリエチレンから選んだ１または２以上を１５重量％〜７０重量％加えたブレンド物を用いるとフランジ部からの剥離性とサポート層との密着性の点から好ましい。
ポリプロピレン樹脂に異物としてポリ４メチルペンテン１、エチレン−ブチレン共重合体等を加えるとブレンド物は異物がトラブルとなり他の樹脂との密着性が低下する。ブレンドする配合量は１５重量％〜７０重量％であり、特に２０重量％〜５０重量％が好ましい。
１５重量％未満ではイージピール効果が少なく、容易に開封することが困難である。また７０重量％を超えると密封性が小さくなり実用上問題がある。
フランジ部内側部の段差から外側に向って０．３ｍｍ〜３．０ｍｍの蓋がフランジ部に接着しない部分を設けると内圧により剥離を防止する効果があり好ましい。
蓋はＰＥＴ、ナイロン、ポリプロピレンのラミネートフイルムが耐熱性、耐引裂強度、密封性、印刷性からみて好ましい。
【００１１】
【実施例】
次の図面について本発明を具体的に説明する。
【００１２】
図１は容器に蓋をヒートシールしたところの一部を示す。１は容器本体の内周壁であって、２は外側に伸びる平坦部であり、最外周にスカート部３が設けられている。平坦部２の上面に蓋を接着するフランジ部４が設けられている。フランジ部の外周側先端には逆テーパー状の外側段差部５が設けられている。１４は逆テーパ形状の外側段差部がフランジ部の平面と連結するコーナー部である。
またフランジ部の内周側端部には直角状の内側段差部６が設けられているが、この内側段差部は順テーパ形状でも逆テーパ形状でもよく、逆テーパ形状は容器の外側へ向っている段差部である。
このような段差部を有するフランジ部は、容器形成時にこのようなフランジ部を形成する成形型を用いて容器本体と同時に成形することができる。
フランジ部には開封時に容器本体から剥離するピール層７が配置され、その上にサポート層８が設置されている。
ピール層とサポート層はフランジ部に存在すればよいが、容器本体を成形するシート全体に両層を設けて成形を行うのが成形上有利であるので、結果的に容器の内面側全体にピール層とサポート層が設けられる。
成形時にサポート層のみまたはピール層とサポート層は引き伸ばされて千切れるので段差部には実質的に存在しないが、引き伸ばされ極薄層として残存する場合もある。
蓋は、ポリプロピレン樹脂層９とＰＥＴ層１０の積層シートで形成され、ポリプロピレン樹脂層が容器のフランジ部のサポート層とヒートシールされている。
蓋は、フランジ部の内側段差部６と、接着端部１３との間に接着しない部分１１を設けてフランジ部とヒートシールされており、フランジ部外周側の逆テーパ形状の段差部とはヒートシールされていない。蓋の外周側端部にはフランジ部とヒートシールしていないつまみ片１２が形成されている。
【００１３】
図２はフランジ部の内周側端部に容器の外側に向っている逆テーパ形状の内側段差部６′を設けた容器である。
【００１４】
実施例１〜２０
表１に示されるサポート層とピール層とをフランジ部に配置し、容器のシートを表１に示される材料で形成し、フランジ部の外周側の逆テーパ形状の外側段差部と内側段差部を図１または図２並びに表１に示す形状を有する容器とし、この容器に蓋をヒートシールした。
実施例１〜１４は内側段差部が直角の図１の容器であり、実施例１５〜１７、１９は順テーパ形状である。実施例１８、２０は逆テーパ形状である図２の容器である。
成形性と開封性と密封性を表１に示す。
【００１５】
【表１】
0003867329.tif 000002
【００１６】
（註）
１．  ＊１ＰＰ：サンドイッチラミ樹脂ＰＰ（ランダムＰＰ）にてフイルム層とシート層を接着、その他はサーモラミネーション。
２．  シート厚み：＊２ホモＰＰ→１．２ｍｍ、＊３ホモＰＰ→０．８ｍｍ、その他は全て１．０ｍｍ
３．  ＰＭＰ：ポリ４メチルペンテン−１
４．  ＥＢ−Ｒ：エチレン−ブチレン共重合体
５．  ＰＢ−Ｒ：プロピレン−ブチレン共重合体
６．  ＨＤＰＥ：高密度ポリエチレン
７．  テーパ形状段差部の高さと長さの単位はｍｍである。
８．  ＥＰ−Ｒ：エチレン−プロピレン共重合体
９．  ＊４：逆テーパ形状の内側段差部の高さと長さを示す。
１０．  直：直角形状の段差部、順：順テーパ形状の段差部、逆：逆テーパ形状の段差部
0003867329.tif 000003
ＬＬＤＰＥは線状低密度ポリエチレン、ＬＤＰＥは低密度ポリエチレンを示す。
１３．  易開封性評価：（開封強度）
○→１．５Ｋｇ以下、△→１．５〜２Ｋｇ以下、×→２．０Ｋｇ以上
１４．  成形性の評価
加工部（切り込み、段差部）の位置ずれ、深さのバラツキの大：×、△：多少あり、○：なし
１５．  ＊５ＰＰ：ホモＰＰ／ランダムＰＰ＝５０／５０
【００１７】
比較例１〜９
容器の材料構成を表１に示す通りとし、フランジ部は段差部を設けず平坦な形状のフランジ部としフランジ部上のサポート層に剥離し易いように切り込みを入れるか、コーナー部のサポート層を斜めに切り落とした他は実施例と同様にして蓋をヒートシールした容器とした。性能を表１に示す。
比較例１、２、３、４及び５はフランジ部の内側と外側のサポート層に切り込みを入れた例である。また比較例６、７、８及び９はフランジ部の内側と外側に段差部を設けた例である。
【００１８】
評価
このように比較例で示される従来の容易開封性容器ではカップ状容器成形後、フランジ部表面に１または２個の切り込みを形成しているが、容器フランジ部と切り込み形成部位の位置合わせが難しく、位置ずれが生じ易い。また２個の切り込みの間に正しくヒートシール部を形成することが困難であり、位置ずれが生じ易く、その結果容易に開封できないものが発生するという不都合があった。
一方、本発明の容易開封性容器は、金型内にフランジ部加工工具を組み込み、カップ状容器成形と同時に内側及び外側の段差部を形成するため、両段差部の位置ずれは全く生じない。さらに本発明のように段差部を形成してヒートシール部を形成する場合、シール位置合わせが容易であり、容易開封性容器が安定して成形できた。
【００１９】
【発明の効果】
本発明は開封性と密封性に優れさらに成形性も良好である。
【図面の簡単な説明】
【図１】本発明の実施例の容器の説明図である。
【図２】本発明の他の実施例の説明図である。
【符号の説明】
１  容器本体の内周壁
２  平坦部
３  最外周のスカート部
４  蓋を接着するフランジ部
５  外側段差部
６  内側段差部
６′  フランジ部の内側逆テーパ形状
７  ピール層
８  サポート層
９  蓋のＰＰ層
１０  蓋のＰＥＴ層
１１  蓋とフランジ部の接着しない部分
１２  つまみ片
１３  蓋の接着端部
１４  コーナー部
【図１】
0003867329.tif 000004
【図２】
0003867329.tif 000005